(57)【要約】  廃棄物コンテナ（２）を支持する枠（３）を有する、スキップなどの廃棄物コンテナ（２）用の可動式支持体（１）。枠（３）は、廃棄物コンテナ（２）が着座できるベース（１５）を有する。可動式支持体（１）によって支持されている状態で廃棄物コンテナ（２）を移動することができるように、枠（３）は車輪（５、６、７、８）の上に取り付けられている。【選択図】  図２
2009504478.tif 000002
【特許請求の範囲】
【請求項１】
廃棄物コンテナを支持する枠（３）を具備する廃棄物コンテナ用の可動式支持体（１）であって、前記枠（３）が、ベース（１５）と、移動手段とを備える、可動式支持体。
【請求項２】
前記廃棄物コンテナがスキップ（２）からなる、請求項１に記載の可動式支持体。
【請求項３】
前記移動手段が少なくとも１つの車輪（５、６、７、８）を備える、請求項１又は２に記載の可動式支持体。
【請求項４】
前記移動手段が少なくとも１つのローラを備える、請求項１〜３のいずれか一項に記載の可動式支持体。
【請求項５】
前記移動手段がキャタピラを備える、請求項１〜４のいずれか一項に記載の可動式支持体１。
【請求項６】
前記枠の下面から前記移動手段（２０５、２０６、２０７、２０８）の下面よりも僅かに上方の位置まで延びている少なくとも１つの脚部（２３２）をさらに備える、請求項１〜５のいずれか一項に記載の可動式支持体。
【請求項７】
前記少なくとも１つの脚部（２３２）のうちの少なくとも１つが、調節可能な脚部を備える、請求項６に記載の可動式支持体。
【請求項８】
前記調節可能な脚部（２３２）が、ねじ調節可能な脚部である、請求項７に記載の可動式支持体。
【請求項９】
牽引バー（４）を備える、請求項１〜８のいずれか一項に記載の可動式支持体。
【請求項１０】
前記枠（３）が矩形の枠からなる、請求項１〜９のいずれか一項に記載の可動式支持体。
【請求項１１】
前記枠（３３３）の長手方向の側部（３１９）が、長さ調節可能である、請求項１０に記載の可動式支持体。
【請求項１２】
前記枠（３３３）の横方向の側部（３２１、３２２）が、長さ調節可能である、請求項１０又は１１に記載の可動式支持体。
【請求項１３】
前記枠（３）がクロスバー（２４、２５）を備える、請求項１〜１２のいずれか一項に記載の可動式支持体。
【請求項１４】
前記枠（３３３）が、取り外し可能なクロスバー（３３４、３３５）を備える、請求項１〜１３のいずれか一項に記載の可動式支持体。
【請求項１５】
リフト手段に取り付け可能である少なくとも１つの突起（１３１）を備える、請求項１〜１４のいずれか一項に記載の可動式支持体。
【請求項１６】
磁性手段（４３８）を備える、請求項１〜１３のいずれか一項に記載の可動式支持体。
【請求項１７】
前記磁性手段（４３８）が、選択的に作動可能である電磁石を備える、請求項１６に記載の可動式支持体。
【請求項１８】
前記磁性手段（４３８）が、使用時に当該可動式支持体（４００）を前記廃棄物コンテナ（４０２）に固定するように配置されている、請求項１６又は１７に記載の可動式支持体。
【請求項１９】
前記移動手段（５０８）に連結された駆動手段（５４１）を備える、請求項１〜１８のいずれか一項に記載の可動式支持体。
【請求項２０】
前記駆動手段（５４１）が、電気モータ又は内燃機関を備える、請求項１９に記載の可動式支持体。
【発明の詳細な説明】
【技術分野】
【０００１】
本発明は、典型的に建設廃棄物及び／又は瓦礫用である廃棄物コンテナとともに使用する可動式の支持体に関する。本発明は、より詳細には、建設廃棄物及び／又は瓦礫用のスキップとともに使用する可動式の支持体に関するが、これに限定されない。
【背景技術】
【０００２】
スキップのような廃棄物コンテナは、建設廃棄物及び／又は瓦礫のような廃材を一時的に保管又は除去するために、建築又は建設の現場で用いられる。スキップは、他の業種及び家庭によって、廃棄物の保管及び処分のために用いられることもできる。
【発明の開示】
【発明が解決しようとする課題】
【０００３】
スキップは重く、現場に或いは現場から、適切なトラックによって運搬される。スキップは、その重量及び大きさのために、一旦現場に据え置かれると操作が困難である。廃棄物がスキップに加えられるにつれ、スキップはより重くなる。したがって、通常、スキップは、トラックによって移動されるまで同じ場所に留まる。
【０００４】
さらに、スキップの最初の位置は、現場の一定の領域に入るトラックの能力によって制限される。特に、大量の装備品及び材料がある建設現場では、これらの障害物によって、スキップの配置は一定の領域に制限されることがある。トラックの操作に制限があるため、一般に、スキップは建物の外部にのみ配置可能である。たとえば、トラックの高さを納めるのには空き高が不適当である地下の駐車場又は他の領域に、トラックが入るのは困難である。
【０００５】
建物の修繕の際には、建物の内側から相当な量の廃材が除去されることがある。その結果、特にスキップが建物から少し離れて配置されている場合、修繕の現場からスキップへと廃棄物を運ぶのに多くの時間が費やされる。
【０００６】
廃棄物の源からかなり離れてスキップを配置することによって、また、廃棄物がスキップへと運ばれている間の二次汚染の危険性が増しかねない。
【０００７】
建物の内側から、下の階の外側に配置されているスキップの中へ廃棄物を垂直方向に容易に運搬できるようにするために、建物のモジュール方式の廃棄物シュートが時折用いられる。シュートの入口が廃棄物の源の近くに配置されていない場合、廃棄物を建物内でさらに経由させることが必要となり、二次汚染の危険性を増す。シュートを廃棄物の源の近くに配置するためには、シュートを別の位置に動かすことが必要となることがある。スキップがシュートの直下に配置されておらず、移動不可能な場合、シュートの出口をスキップの上に配置するようにシュートの長さを増すことが必要である。このような長いシュートは、より塞がりやすくなることがある。
【課題を解決するための手段】
【０００８】
本発明の第１の態様によれば、ベースと移動手段とを備える、廃棄物コンテナを支持する枠を具備する廃棄物コンテナ用可動式支持体が提供される。
【０００９】
好ましくは、廃棄物コンテナはスキップからなる。
【００１０】
好ましくは、移動手段は少なくとも１つの車輪を備える。代替として又はさらに、移動手段は少なくとも１つのローラを備える。代替として又はさらに、移動手段はキャタピラを備える。
【００１１】
可動式支持体は、可動式の枠の下面から移動手段の下面よりも僅かに上方の位置まで延びる少なくとも１つの脚部をさらに備えることが有効である。
【００１２】
可動式枠の脚部は、安全上の特徴であり、車輪、キャタピラ、又はローラが潰れたり壊れたりした場合に枠を支持する。脚部が可動式の枠の移動を妨げないように、脚部は、車輪、キャタピラ、又はローラの底部のすぐ上まで延びている。
【００１３】
好ましくは、少なくとも１つの脚部のうちの少なくとも１つは、調節可能な脚部を備える。より好ましくは、調節可能な脚部は、ねじ調節可能な脚部である。
【００１４】
枠及びスキップの重量を負うことによって、移動可能な枠の支持を容易にするために、調節可能な脚部は伸ばされることができる。脚部は、可動式の枠の動きを抑制するように収縮されることができる。
【００１５】
好ましくは、可動式の支持体は牽引バーを備える。
【００１６】
牽引バーは、可動式の支持体を容易に車に固定できるように、また車によって別の場所に牽引するか、又は押し動かすことができるようにする。
【００１７】
好ましくは、枠は、矩形の枠からなる。
【００１８】
より好ましくは、枠の長手方向の側部は、長さが調節可能である。
【００１９】
有利には、枠の横方向の側部は、長さが調節可能である。
【００２０】
枠における調節可能な側部によって、異なるサイズの廃棄物コンテナ又はスキップが枠の中に収容可能になる。
【００２１】
好ましくは、枠はクロスバーを備える。好ましくは、枠は取り外し可能なクロスバーを備える。
【００２２】
望ましくは、可動式の支持体は、リフト手段に取り付け可能な突起を備える。
【００２３】
好ましくは、可動式の支持体は、磁性手段を備える。より好ましくは、磁性手段は、選択的に作動可能な電磁石を備える。磁性手段は、使用時に可動式の支持体を廃棄物コンテナに固定するように配置されるとよい。
【００２４】
可動式の支持体は、移動手段に連結された駆動手段を備えるとよい。駆動手段は、電気モータ又は内燃機関とすることができる。
【００２５】
以下、本発明の実施形態を、添付の図面を参照して、例としてのみ説明する。
【発明を実施するための最良の形態】
【００２６】
図面を参照して、図１及び図２は、可動式支持体１及びスキップ２を示す。
【００２７】
可動式支持体１は、枠３、牽引バー４、前輪５、６、中央輪７、後輪８、回転式車輪取り付け部９、１０、１１、固定式後輪取り付け部１２、及び脚部１３、１４を備える。
【００２８】
枠３の反対側に、図示された車輪及び車輪取り付け部を補う車輪及び車輪取り付け部があることが理解されるであろう。さらに枠３の反対側に、図に示された脚部を補う脚部（図示せず）がある。
【００２９】
枠３は、溶接又はボルト付けにより一体化された金属部分から作られたものとすることができる。
【００３０】
枠３は、矩形形状であり、矩形のベース１５と４つの高くされた隅部分とを備える。隅部分１６、１７、１８のうちの３つが図面に示されている。
【００３１】
ベース１５は、２つの長手方向の側方部分（側部）１９と、横方向前方部分（横方向の側部）２１と、横方向後方部分（横方向の側部）２２と、隅部補強バー２３と、２つのクロスバー２４、２５とを備える。これらのすべては典型的に、矩形断面を有する鋼から製造される。
【００３２】
長手方向の側方部分１９のそれぞれの端部は、横方向前方部分２１の各端部に直角に連結されている。同様に、長手方向の側方部分１９のそれぞれの端部は、横方向後方部分２２の各端部に直角に連結されている。
【００３３】
隅部補強バー２３は、隣接する横方向の部分２１、２２と長手方向の部分１９との間の接続部において、それぞれの隅部にわたり斜めに連結される。
【００３４】
２つのクロスバー２４、２５が、長手方向の側方部分１９の中央とその端部との間で、長手方向の側方部分１９を連結する。クロスバー２４、２５は、横方向側方部分２１、２２に平行である。
【００３５】
高くされた隅部分２６、２７、２８が、ベース１５の各隅部において形成されており、３つの隅部分２６、２７、２８のみが図面に示されている。高くされた隅部分２６、２７、２８のそれぞれは、ベース１５の上に垂直方向に延びている。高くされた隅部分２６、２７、２８は、ベース１５のそれぞれの隅部にＬ形状に接合された２つのＵ形状のバー２９、３０をそれぞれ備える。
【００３６】
使用時には、スキップ２は、トラックから可動式支持体１の上に降ろされる。可動式支持体１は、スキップ２の重量に耐え、スキップ２が移動されることができるようにする。小型の牽引トラック又は他の適切な車が、牽引トラックを牽引バー４と連結することによって、可動式支持体１に連結されることができる。こうして、可動式支持体１及びスキップ２を、必要に応じて、概ね現場の別の場所に移動するように、牽引トラックが用いられ得る。スキップ２は、クロスバー２４、２５と隅部補強バー２３との上に載り、高くされた隅部分２６、２７、２８によって可動式支持体１の上の定位置に保持される。
【００３７】
スキップ２が可動式支持体１の上に同様のやり方で置かれる前に、可動式支持体１を動かすことも可能である。実際、スキップが可動式支持体１に乗せられていない場合、又は可動式支持体１の上に載せられているスキップ２が空である場合には、可動式支持体１を手で動かすことが可能である。
【００３８】
前輪５、６、及び中央輪７は、回転式の車輪取り付け部９、１０、１１の上に取り付けられる。これらの車輪５、６、７によって、可動式支持体１を所望の方向に動かせるように、可動式支持体１が向きを変えたり、方向付けしたりできるようになる。後輪８は、固定された後輪取り付け部１２に取り付けられ、水平面の回転が防止される。
【００３９】
次に図３及び図４を参照するが、図３及び図４には、図１及び図２に示される実施形態と実質的に同じである本発明の一実施形態が開示されている。図１及び図２の実施形態の部品に対応する図３及び図４の実施形態の部品は、１００番台の同様の参照符号が与えられている。
【００４０】
図３及び図４は、可動式支持体１００及びスキップ１０２を示す。可動式支持体１００は、そのベース１１５に突起１３１を有する。
【００４１】
可動式支持体１００の突起１３１は、可動式支持体１００及びスキップ１０２が、現場からの移動のためにトラックの上へ持ち上げられることができるように、可動式支持体１００をホイスト（図示せず）に取り付けるために用いられ得る。可動式支持体１００及びスキップ１０２は、同様の態様で現場に据え置かれることができる。これによって、可動式支持体１００を、必要に応じて様々な現場へと、また様々な現場からトラックで運ぶことが可能になる。
【００４２】
次に図５及び図６を参照するが、これらの図には、図１及び図２に示される実施形態と実質的に同じである本発明の一実施形態が開示されている。図１及び図２の実施形態の部品に対応する図５及び図６の実施形態の部品は、２００番台の同様の参照符号が与えられている。
【００４３】
図５及び図６は、可動式支持体２００及びスキップ２０２を示す。可動式支持体２００は、ねじ調節可能な脚部２３２を有する。脚部２３２は、枠２０３の側部部分２１９に相補形にねじ切りされた開口部に係合する、脚部２３２の外表面に形成されたねじ山２３４によって調節可能である。
【００４４】
可動式支持体２００のねじ調節可能な脚部２３２は、手で容易に伸ばされたり縮められたりできる。ねじ調節可能な脚部２３２は、車輪２０５、２０６、２０７、２０８の代わりに、脚部２３２によって可動式支持体２００を支持できるようにするために伸ばされる。可動式支持体２００上のスキップ２０２の重量は、こうして脚部２３２によって支えられる。脚部２３２は、可動式支持体２００をこの位置に安定させることができ、このことは、可動式支持体２００が、傾いた又は平坦でない地面の上に置かれるときに特に有用である。ねじ調節可能な脚部２３２は、脚部２３２が車輪２０５、２０６、２０７、２０８の動きを妨げないように、可動式支持体２００が動かされるときには縮められることができる。
【００４５】
次に図７及び図８を参照するが、これらの図には、図１及び図２に示される実施形態と実質的に同じである本発明の一実施形態が開示されている。図１及び図２の実施形態の部品に対応する図７及び図８の実施形態の部品は、３００番台の同様の参照符号が与えられている。
【００４６】
図７及び図８は、可動式支持体３００及びスキップ３０２を示し、可動式支持体３００は、調節可能な枠３３３と取り外し可能なクロスバー３３４、３３５とを有する。調節可能な枠３３３は、枠３３３の長手方向の側部３１９の噛み合い部３３７、３３８をともに固定するボルト３３６を外すことによって、サイズが調節され得る。枠３３３は、ボルト３３６を枠３３３の異なるボルト穴３３９に挿入し固定することによってサイズが調節可能である。
【００４７】
調節可能な枠３３３は、可動式支持体３００が異なるサイズのスキップ３０２とともに用いられる場合に有用である。調節可能な枠３３３の横方向側部３２１、３２２も、異なるサイズのスキップを収容するように調節可能であることが理解されるであろう。
【００４８】
図９を参照する。図９には、図１及び図２に示される実施形態と実質的に同じである本発明の一実施形態が開示されている。図１及び図２の実施形態の部品に対応する図９の実施形態の部品は、４００番台の同様の参照符号が与えられている。
【００４９】
図９は、可動式支持体４００及びスキップ４０２を示し、可動式支持体４００はベース４１５に取り付けられた電磁石パッド４３８を有する。可動式支持体４００のスイッチ４３９が、電磁石パッド４３８の磁化を可能にするように電源部４４０を起動することができる。
【００５０】
電磁石パッド４３８が磁化されたとき、枠４０３のベース４１５が磁力によってスキップ４０２に取り付けられる。こうして、スキップ４０２がトラックの上に持ち上げられる場合、可動式支持体４００はスキップ４０２とともに持ち上げられる。これは、トラックの上に持ち上げられる際には、可動式支持体４００がスキップ４０２の重量を支えないことを意味する。
【００５１】
図１０及び図１１を参照するが、これらの図には、図１及び２に示される実施形態と実質的に同じである本発明の一実施形態が開示されている。図１及び図２の実施形態の部品に対応する図１０及び図１１の実施形態の部品は、５００番台の同様の参照符号が与えられている。
【００５２】
図１０及び図１１は、可動式支持体５００及びスキップ５０２を示す。支持体５００は、前輪５０５、５０６及び後輪５０８を有する。可動式支持体５００の後輪５０８が、モータ５４１に取り付けられる。
【００５３】
モータ５４１は、可動式支持体５００を動かす力又は追加の力を与えるために、後輪５０８を駆動するのに用いられる。前輪５０５、５０６は、適切なモータを前輪５０５、５０６に取り付けることによって、電気的に操縦可能及び駆動可能であることは理解されるであろう。後輪５０８及び／又は前輪５０５、５０６は、ケーブルでモータ（複数も可）５４１に接続されるリモートコントロール（図示せず）によって制御されることができる。代替として、リモートコントロールは、ワイヤレス又は無線式のリモートコントロールであることができる。
【００５４】
牽引バー５０４は、モータ５４１が停電又は他の障害によって故障した場合に、可動式支持体５００が牽引トラックによって移動されることができるようにするために、可動式支持体５００を牽引トラックに連結するように用いられることができる。牽引バー５０４は、また、可動式支持体５００を動かすのに追加の力が必要な場合に有用である。
【００５５】
前述の実施形態のうちの相互に相容れない特徴は、自由に交換又は置き換えをされてよいことが理解されるであろう。
【００５６】
本発明の様々な実施形態が開示されてきたが、本開示が与えられれば、本発明の範囲から逸脱することなく、様々な修正例、変更例、改良例、及び変形例がなされ得ることが当業者には明らかであろう。
【図面の簡単な説明】
【００５７】
【図１】本発明の一態様による可動式支持体の第１実施形態及びスキップの側面斜視図である。
【００５８】
【図２】図１の可動式支持体及びスキップの前面斜視図である。
【００５９】
【図３】本発明の第２態様による可動式支持体の第２実施形態及びスキップの側面斜視図である。
【００６０】
【図４】図３の可動式支持体及びスキップの前面斜視図である。
【００６１】
【図５】本発明の第３態様による可動式支持体の第３実施形態及びスキップの側面斜視図である。
【００６２】
【図６】図５の可動式支持体及びスキップの前面斜視図である。
【００６３】
【図７】本発明の一態様による可動式支持体の第４実施形態及びスキップの側面斜視図である。
【００６４】
【図８】図７の可動式支持体及びスキップの前面斜視図である。
【００６５】
【図９】本発明の一態様による可動式支持体の第５実施形態及びスキップの側面斜視図である。
【００６６】
【図１０】本発明の一態様による可動式支持体の第６実施形態及びスキップの側面斜視図である。
【００６７】
【図１１】図１０の可動式支持体及びスキップの前面斜視図である。
【図１】
2009504478.tif 000003
【図２】
2009504478.tif 000004
【図３】
2009504478.tif 000005
【図４】
2009504478.tif 000006
【図５】
2009504478.tif 000007
【図６】
2009504478.tif 000008
【図７】
2009504478.tif 000009
【図８】
2009504478.tif 000010
【図９】
2009504478.tif 000011
【図１０】
2009504478.tif 000012
【図１１】
2009504478.tif 000013
【国際調査報告】
2009504478.tif 000014
2009504478.tif 000015
2009504478.tif 000016